(57)【特許請求の範囲】
【請求項１】
基台上に載置した空き缶の径方向略中央部を圧潰する第１圧潰レバーを基台の一端に枢着し、その両側に第１圧潰レバーで圧潰した空き缶の両側部を内方に圧潰する上方に向けて順次縮径する傾斜面が形成された第２圧潰レバーを一体に枢着し、空き缶の前方への移動を阻止する位置決部を前記基台に設け、前記第２圧潰レバーの空き缶が当接する押圧面に滑り止め手段を施し、前記第２圧潰レバー操作時において、前記第１圧潰レバーが一旦上昇し、その第１圧潰レバーが前記第２圧潰レバーと共に圧潰動作がなされるように、第１の圧潰レバーが弾撥部材によって上方に付勢するようにしたことを特徴とする空き缶潰し機。
【発明の詳細な説明】
【０００１】
【発明の属する技術分野】
本発明は、使用済みの空き缶を潰し、小さく畳んでしまう空き缶潰し機に関するものである。
【０００２】
【従来の技術】
近年に於て、環境保護、資源の有効活用が盛んになり、その一環としてリサイクル活動が行われるようになった。そのリサイクル活動の１つとして使用済みの空き缶を回収し再利用することがある。
しかし、回収した空き缶をある程度増えるまで一定期間貯えておかなければならない。ここで、１個や２個程度の空き缶であるならば保管スペースもあまり取らないものの、数が増えるに従って保管スペースが必要となり、特に一般家庭においては毛嫌いされる恐れがあった。
【０００３】
そこで、図６に示されるような空き缶潰し機が開発された。詳述すると、基台１０１の後方上面には軸支部１０２が形成されており、その軸支部１０２には押圧部材１０３が軸１０４によって回転自在に固定されている。そして、その押圧部材１０３の前方はコ字型に切り欠かれており（切欠き部１０５）、その切欠き部１０５には押圧部材１０３を押圧すべく柱状のグリップ１０６が固定されている。
また、前記基台１０１の上面中間部には空き缶Ｗの前方への転がりを規制する位置決め部１０７が形成されている。
使用方法は、最初に押圧部材１０３を持ち上げ、次いで、空き缶Ｗを基台１０１に設置し、その状態で押圧部材１０３を回動せしめ設置した空き缶Ｗを潰すものである。
【０００４】
【発明が解決しようとする課題】
しかし上述した例にあっては、潰す空き缶の直径が大きくなるに従って押圧部材１０３を回動させた際、前記空き缶が前方に移動しようとする作用が増大し、ややもすると位置決め部１０７を乗り越えて飛び出してしまうこともあった。
特に、押圧部材１０３に塗装が施されている場合には、押圧部材と空き缶との当接部に「滑り」が生じやすくなり前記の現象が顕著になる。
【０００５】
【課題を解決するための手段】
本発明は上記問題点を解決することを目的とし、基台上に載置した空き缶の径方向略中央部を圧潰する第１圧潰レバーを基台の一端に枢着し、その両側に第１圧潰レバーで圧潰した空き缶の両側部を内方に圧潰する上方に向けて順次縮径する傾斜面が形成された第２圧潰レバーを一体に枢着し、空き缶の前方への移動を阻止する位置決部を前記基台に設け、前記第２圧潰レバーの空き缶が当接する押圧面に滑り止め手段を施し、前記第２圧潰レバー操作時において、前記第１圧潰レバーが一旦上昇し、その第１圧潰レバーが前記第２圧潰レバーと共に圧潰動作がなされるようにし第１の圧潰レバーが弾撥部材によって上方に付勢するようにしたことを特徴とするものである。
【０００６】
【発明の実施の形態】
本発明は、基台上に載置した空き缶の径方向略中央部を圧潰する第１圧潰レバーを基台の一端に枢着し、その両側に第１圧潰レバーで圧潰した空き缶の両側部を内方に圧潰する第２圧潰レバーを一体に枢着し、該第２圧潰レバーの空き缶が当接する押圧面に滑り止め手段を施したことを特徴とし、その結果、空き缶が空き缶潰し機から飛び出すのを防止できる。
【０００７】
【作用】
基台上の空き缶位置決め位置に空き缶を横向きに載置し、第１圧潰レバーで空き缶径方向中央部を圧潰する。この部分の抗力は弱いので容易に圧潰できる。手を放すと第１圧潰レバーはバネで上昇する。次いで、第２圧潰レバーの押圧面で中央部を圧潰された空き缶の両側を内方に圧潰する。この時、押圧面に形成した滑り止めにより空き缶は滑って飛び出すことなく確実に圧潰される。
【０００８】
【実施例】
図１、図２に本発明の第１実施例を示し説明する。足でレバーを踏むことにより空き缶を潰す例である。
基台１の上面後方には後述する圧潰レバーを回転自在に取り付ける軸受部２が立設固定、あるいは基台１に一体的に形成されている。この軸受部２には支軸３が固定されており、その支軸３の中央部には空き缶の略中央部を潰す第１の圧潰レバー４が回動自在に取り付けられている。この第１の圧潰レバー４は上方に向かって拡がるように板体を台形状に折り曲げて形成した棒状部材としたが、上方に向かって拡開し底面に平坦部が形成された半円弧状の棒状物としても良く、空き缶に当接する部分（図示例においては左右一対の圧潰面部４ａ）から上方に向かって拡がるように拡開していれば良いものである。また、その左右の圧潰面部４ａ間の幅は空き缶の長手方向全体ではなく、略中央部のみを潰すような幅を有していれば良い。つまり、空き缶の長手方向の長さよりも小さい幅の圧潰面部４ａ間を有する棒状部材であれば良いものである。幅が空き缶より小さいといっても好ましくは空き缶の長手方向の幅に対して３分の１程度の幅が好ましい。５は踏板部である。
また、この第１の圧潰レバー４の前方部は第１の圧潰レバー４を作動させる際、足で踏んで作動させるときに滑らないように多数の凹凸４ｂが形成されているが、ゴム状シート部材などを貼り付けても良い。
【０００９】
前記支軸３には第２の圧潰レバー６も回転自在に取り付けられているが、この第２の圧潰レバー６は空き缶を実際に圧潰する屈曲形成された板状の圧潰部７とレバー部８と踏板部９とより構成されている。ここで、各々の部材の具体的な形状について説明する。圧潰部７の中央部には凹部１０が形成されており、この凹部１０に前記第１の圧潰レバー４が遊挿されるようになっている。その凹部１０の両側には凹部１０に向かい順次縮形する平坦な直線状の傾斜面１１が形成されているが、直線状の傾斜面１１に代え湾曲した傾斜面としても良い。空き缶と当接する圧潰部下面には多数の孔７ａが形成されており、この孔７ａによって空き缶を潰す際のその空き缶の滑り防止部となっている。この孔７ａを圧潰部７の後面から形成することによって、前面（圧潰面）にバリを形成するようにすることにより、より効果が出るものである。
なお、第２の圧潰レバー６の圧潰部７の幅は空き缶の長手方向の全長と略同等の長さ（幅）を有している。また、前記踏板部９にも足で踏んで作動させるときに滑らないように多数の凹凸９ａが形成されている。１２は第１の圧潰レバー４を上方に付勢する板ばねやコイルスプリングなどの弾撥部材であり、第１の圧潰レバー４を上方に付勢することで第２の圧潰レバー６も上方に付勢されることになる。
【００１０】
次に使用方法並びに動作について説明する。
最初に第１の圧潰レバー４と第２の圧潰レバー６とを弾撥部材１２により上昇させた状態で、潰す空き缶を基台１の上面に固定されている載置台１３上に載置する。この時、空き缶は載置台１３の傾斜面により転がり、位置決め部材１４に当接し安定した状態で位置決めされる。
次に、第１の圧潰レバー４の踏板部５を押圧し、第１の圧潰レバー４を弾撥部材１２の弾撥力に抗して回動させる。この回動動作により空き缶の略中央部が潰される。
【００１１】
次に第２の圧潰レバー６を踏板部９を踏むことにより押圧回動するが、第１の圧潰レバー４が圧潰部７の凹部に遊嵌されているため、第１の圧潰レバー４も連動回動し下降する。この時、空き缶の長手方向の両端部が前記圧潰部７の孔７ａに当接し喰い込み、空き缶の前方への移動を阻止する。つまり、空き缶は位置決め部１４と孔７ａとにより移動を規制されるのである。
また、前記動作により若干内側に向いた空き缶の両端部（両端の蓋体）が、圧潰部７の傾斜面１１（圧潰部７）に当接し、また、案内され畳まれる。最終的には図６に示したように潰される。潰されると云うよりは畳まれたような形状になる。
なお、圧潰部７に傾斜面１１を設けることにより、載置台１３と第１の圧潰レバー４との間に隙間Ｓが生じてしまうが、これもまた、後のリサイクルのための作業に役立つものである。つまり、リサイクル業者が一般家庭や事業者などから回収した（潰された）空き缶をまとめブロック状にするためである。ここで、多数の空き缶をブロック状にするときには１つ１つの潰された空き缶が噛み合わなくてはならない。よって、ブロック状にするときには多少潰す余裕がないとブロック化できなくなることになる。つまり、１つ１つの空き缶が完全に潰されていると、更に潰すことができないということである。
【００１２】
図３に前記孔７ａの変形例を示す。圧潰部７の空き缶当接部にエンボス加工やビード加工などにより突起７ｂを形成したものである。図示例のものにおいては前記突起７ｂを１つ形成したが複数形成してもよい。
また、図４に示すように圧潰部７にローレット７ｃを形成してもよく、図５に示すようにポンチや鑪（サンドペーパー）などにより圧潰部７の表面を荒して滑り止め部７ｄを形成してもよい。
【００１３】
【発明の効果】
本発明は、基台上に載置した空き缶の径方向略中央部を圧潰する第１圧潰レバーを基台の一端に枢着し、その両側に第１圧潰レバーで圧潰した空き缶の両側部を内方に圧潰する上方に向けて順次拡開する傾斜面が形成された第２圧潰レバーを一体に枢着し、該第２圧潰レバーの空き缶が当接する押圧面に滑り止め手段を施し、前記第２圧潰レバー操作時において、前記第１圧潰レバーが一旦上昇し、その第１圧潰レバーが前記第２圧潰レバーと共に圧潰動作がなされるようにしたので、空き缶の空き缶潰し機からの飛び出しを防止することができる。
【図面の簡単な説明】
【図１】本発明の第１実施例正面図である。
【図２】図１の側面図である。
【図３】本発明の第２実施例正面図である。
【図４】本発明の第３実施例正面図である。
【図５】本発明の第４実施例正面図である。
【図６】従来の空き缶潰し機使用時の外観斜視図である。
【符号の説明】
１    基台
２    軸受部
３    支軸
４    第１圧潰レバー
４ａ  圧潰面部
５    踏板部
６    第２圧潰レバー
７    圧潰部
７ａ  孔
７ｂ  エンボス加工やビード加工による突起
７ｃ  ローレット
７ｄ  滑り止め部
８    レバー部
９    踏板部
１０    凹部
１１    傾斜面
１２    弾撥部材
１３    載置台
１４    位置決め部材
【図１】
0003582186.tif 000002
【図２】
0003582186.tif 000003
【図３】
0003582186.tif 000004
【図４】
0003582186.tif 000005
【図５】
0003582186.tif 000006
【図６】
0003582186.tif 000007